Podtech/llm-jp-corpus-v4-ja_patent huggingface dataset:
(57)【要約】【課題】車輪の回転運動をダンパーによって制御し、回転速度を一定速度になるようにする。【解決手段】車輪の軸の中心部分で軸を凸状に曲げてその軸の凸部を中心に放射状に、車輪の外郭と凸部を複数のダンパーで連結させた車輪を特長とする回転制御装置。【選択図】図２
2019181118.tif 000002
【特許請求の範囲】
【請求項１】
車輪の軸の中心部分で軸を凸状に曲げてその軸の凸部を中心に放射状に車輪の外殻と凸部を複数のダンパーで連結させた車輪を特徴とする回転制御装置。
【請求項２】
この車輪の外側にロープの一部を巻き付けこのロープには避難者の体を支持する紐を上下２個所に固定した緊急時の避難用具。
【請求項３】
前記車輪には車輪の回転を制御するブレーキを設けることを特徴とする
【発明の詳細な説明】
【技術分野】
【０００１】本発明は車輪の回転運動をダンパーによって制御して回転速度を一定速度になるようにする装置である。
緊急時に避難具として本装置を使用する。本装置の外殻１０にロープ２を複数回巻き付ける。ロープの長さは設置する非難箇所の高さに合わせる。
このロープに避難者の体を支える紐３を固定して、この紐３を避難者の体にまわして降下するが降下スピードが一定でゆっくり降下するので安全で、だれでも避難できる。
【背景技術】
【０００２】高所階からの非常時の避難に際して、ロープを伝って降りるのは  非常に困難で  非常階段を使うのも難しい状態である。本装置は緊急時の避難に際して、本装置を使用するのに代三者の補助は必要ではなく、一人で体を固定して安全に降下できる。
【発明の概要】
【発明が解決しようとする課題】
【０００３】高層ビルの火災や災害において近年の高層ビルには緊急時の避難は  階段で歩いて降りるしかなく、非常時には多数の人が集中して避難に時間がかかったり  火災では会談は煙突状態で  避難できない状態なっている。
高所なので  梯子車も梯子が届かなく  屋上からも避難できなく、悲惨な状態が報道されている。本装置が各部屋にあれば直ちに部屋からそれぞれが簡単に避難できる。
【課題を解決するための手段】
【０００４】紐３を体に廻して体を安定させるが、その際回転装置のブレーキをかけ回転しないようにして  準備できたら、ブレーキをはなして降下する。降下を始めると  ロープのもう一方の下に取り付けてある紐３が降下とともに上がってきて、避難者が  避難し終わった時には、もう一つの紐は上段に上がってきて  次の人が降下避難ができる。本装置は回転方向に関係なく回転速度が一定に制御されているので、何人でも避難できる。
【発明の詳細な説明】
【０００５】回転制御装置の説明
車輪は中心軸５を中心にして回転する本体側面１に支えられた外殻１０が回る。中心軸は軸の半ばに凸部があり、凸部の頂点６と外殻１０を連結させるように取りつけた複数のダンパー７は、凸部６を中心に外殻１０と共に回転する。外壁の回転は中心軸５を中心として回転する。
【０００６】この時ダンパー７の凸部頂点６取り付け点と外壁１０の取り付け点との長さは中心軸５と凸部６との間隔の長さ分だけまた外壁１０の回転角によって異なってくる。この長さが違う分だけダンパー▲７▼内のピストンが移動する。図３でＡ地点の時の空間Ａ１とＢ地点の時の空間Ａ１の体積の違いで中の空気または油が圧縮されＡ１からＢ１へと移動する。この流量でピストンの動きが変わり車輪の回転速度が適当な最適速度にできる。
【図面の簡単な説明】
【０００７】
【図１】ａ  本発明の本体内部  ｂ  ダンパーの簡単な図
【図２】本発明の斜視図
【図３】ａ  本体正面図  ｂ  側面図
【図４】ａ  本発明の設置図  ｂ  使用例
【符号の説明】
【０００８】  １  避難具本体車輪側面
２  避難用ロープ
３  避難者固定紐
４  避難用ロープ支えローラー
５  車輪中心軸
６  軸凸部
７  ダンパー
８  ピストン
９  ピストン棒
１０  外殻
１１  Ａ１  Ｂ１  はピストンで分けられたダンパー内の空間室
【図１】
2019181118.tif 000003
【図２】
2019181118.tif 000004
【図３】
2019181118.tif 000005
【図４】
2019181118.tif 000006
(57)【要約】【課題】部分床義歯の維持装置は、金属でないと出来ない部分があり、部分床義歯装着者が口を開ける際、金属色が見えてしまい、審美性に欠く。加えて、金属アレルギー患者には、提供できない。【解決手段】部分床義歯の維持装置を、歯科用ジルコニアブロックで製作し、歯牙や、歯肉の色調を再現し製作することで、審美性を回復し、尚且つ、金属不使用の維持装置にも、対応できる。【選択図】図１
2019181111.tif 000002
【特許請求の範囲】
【請求項１】
部分床義歯の維持装置を、酸化ジルコニウムを含有する歯科用ジルコニアブロックで製作することを特徴とする維持装置。
【発明の詳細な説明】
【技術分野】
【０００１】    この発明は、部分床義歯に於ける維持装置の素材に関する。
【背景技術】
【０００２】    従来の部分床義歯の維持装置は弾性、剛性、形状の性質上、金属を材料としている。【０００３】    一部に、維持装置が、金属ではなく、ポリアミド（ナイロン）、ポリエステル、ポリカービネート、ポリプロピレン等で作られている部分床義歯も、金属不使用であるが、義歯の沈下、転覆、移動、歯肉への圧迫力の抑制は困難である。
【発明の概要】
【発明が解決しようとする課題】
【０００４】    しかしながら、以上の技術によれば、審美性や強度、金属アレルギー患者に問題が生じてしまう。
そこで、この発明は、維持装置に求められる剛性も考慮しつつ、審美性や、金属アレルギー患者に対応する維持装置を提供することを課題とする。
【課題を解決するための手段】
【０００５】    以上の課題を解決するために、この発明は、部分床義歯の維持装置、クラスプ▲１▼の鉤腕ａ▲２▼を、弾力性のある素材、ポリアミド（ナイロン）、ポリエステル、ポリカービネート、ポリプロピレン等を配し、鉤体▲４▼、アップライト▲５▼、鉤脚▲６▼、レスト▲７▼、場合により、片側の鉤腕ｂ▲３▼を酸化ジルコニウムを含有する歯科用ジルコニアブロックで製作し組み合わせ、製作することを特徴とする維持装置である。
【発明の効果】
【０００６】    この発明によれば、審美性の回復と強度の問題の解決、金属不使用の義歯が提供できる。
【図面の簡単な説明】
【０００７】
【図１】部分床義歯の一般的な維持装置の構成図。
【図２】特別な設計をして製作した維持装置。
【発明を実施するための形態】
【０００８】    図１のクラスプ▲１▼に対し、弾力性のある素材、ポリアミド（ナイロン）、ポリエステル、ポリカービネート、ポリプロピレン等を、唇（頬）側鉤腕ａ▲２▼に配し、強度が求められる鉤体▲４▼、アップライト▲５▼、鉤脚▲６▼、レスト▲７▼、設計によっては、鉤腕ｂ▲３▼を、歯科用ジルコニアで製作し、これを、部分床義歯に付ける。
【符号の説明】
【０００９】▲１▼  クラスプ
▲２▼  鉤腕ａ
▲３▼  鉤腕ｂ
▲４▼  鉤体
▲５▼  アップライト
▲６▼  鉤脚
▲７▼  レスト
▲８▼  ジルコニア人口歯
【図１】
2019181111.tif 000003
【図２】
2019181111.tif 000004
(57)【要約】【課題】本発明の飲料セットは簡単に比較的長距離の移動や旅行等の際に、別につまみ類を購入することなワンカップ酒と一緒にセットで提供できるようにする。【解決手段】ポリエチレンテレフタレート製の補助容器４につまみ１５を充填し補助容器５のフランジ１６の外周側の周壁部１７の係合用リブ３をワンカップ酒の入っているワンカップ酒１の巻締め部１６の外周部に係合させて結合し、ワンカップ酒とつまみとをセットで提供する。【選択図】図２
2019181135.tif 000002
【特許請求の範囲】
【請求項１】
液体飲料を注入または充填された主容器と固型の食物を充填した補助容器を組合せるようにしたことを特徴とする飲料セット
【請求項２】
前記主容器が、酒類を充填した瓶容器であり、前記補助容器が、主容器の下部にはめこまれており、つまみ類を充填したものであることを、特徴とする請求項１に記載した飲料セット
【請求項３】
前記主容器の上部に液体のそそぎ口を付加したことを、特徴とする請求項１又は請求項２に記載した飲料セット
【請求項４】
請求項３の記載の主容器の上部にポリエチレンテレフタレートのお猪口をネジで加工し、回転させることによりお猪口となる容器の飲料セット
【発明の詳細な説明】
【技術分野】
【０００１】本発明は便利なワンカップ酒の利用法にかかる飲料セットに関する。
【背景技術】
【０００２】特許文献１は上部キャップにつまみを入れるのみ容器
特許文献２は酒場等において常置する調味料や薬味等を収納して置くものに好適となる飲料セット
【先行技術文献】
【特許文献】
【０００３】
【特許文献１】実用新案登録第３１２５１８公報
【特許文献２】実開５６−１２８５４号公報
【発明の概要】
【発明が解決しようとする課題】
【０００４】比較的長距離の移動旅行の際に別につまみ類を入することなくワンカップ酒とつまみがセットで提供できなおこぼれることもない飲料セット
【課題を解決するための手段】
【０００５】液体飲料の主容器瓶容器であり補助容器を下部にはめ込みつまみ類を入れて主容器の上部に液体のそそぎ口を付加して主容器の上部にポリエチレンタレートのお猪口をネジて加工して回転させることにより、お猪口となる容器の飲料セット
【発明の効果】
【０００６】ワンカップ酒が旅行中車内でこぼれることなく、徳利の形でお猪口で飲め酌をする以外こぼれなく下部にある容器でつまみも食べられる飲料セット
【図面の簡単な説明】
【０００７】
【図１】本発明の１例を示す容器とつまみ入れ立体図
【図２】本発明の１例を示す容器つぎ口とお猪口の立体図
【図３】本発明の特徴とするそそぎ口とお酒の調節弁の構図
【図４】本発明の特徴とするそそぎ口とお酒の調節弁を手の指で開口部が開く
【発明を実施するための形態】
【０００８】本発明はカップ酒にＣＭ．ブランド名の印刷も可能となり持ち運び易く下部につまみ容器があるそそぎ口の容器をコップ酒本体に嵌合せしめ、そそぎ口の容器の弁を圧縮部より閉口し酒をそそぐもの。
によって回転して、取りはずし使用可能となる容器。
【実施例】
【０００９】本発明は市場にあるカップ酒に多機能を持つことによりつまみ、お酒がこぼれない、お猪口もセットに、補助容器が下部にセットされる
図１は本発明の特徴である主容器につまみ類を充填できる
図２は本発明の特徴である主容器の上部に液体のそそぎ口を付加した主容器
図３は本発明の特徴であるプルタブを付加し酒類の逆流を防主する主容器
図４は本発明の特徴であるプルタブを親指、人差し指で、つまむことでプルタブが開く主容器
【産業上の利用可能性】
【００１０】本発明は同様のものと比較して下部につまみ類を入れがあり、すぐ取り出せて、そそぎ口もこぼれることもなく、お猪口も付いているのでセットの容器。
【符号の説明】
【００１１】１    カップ本体
２    プラスチックキャップ
３    プルタブ
４    つみ（おつまみ入れ）
５    そそぎ口に連がる容器のプラスチップ
６    そそぎ口
７    お猪口の空間
８    お猪口の容器のプラスチップ
９    ゴムによる途中栓
１０  切り込み
１１  切り込みの開いた状態
１２  両側を押すことにより１１の切り込み口が開く
１３  手の指の圧縮により弁の開口部が開く
【図１】
2019181135.tif 000003
【図２】
2019181135.tif 000004
【図３】
2019181135.tif 000005
【図４】
2019181135.tif 000006
(57)【要約】      （修正有）【課題】従来、ランチョンマットは食事関連のみの機能に始終されていた、そこで従来のランチョンマットに、種々な機能、役割を付与させる方法である【解決手段】ランチョンマットに将棋盤１、碁盤、チェス盤、オセロ盤、ダーツ標的、吹屋標的、など任意の機能を記載、付与し、飲食後即、種々な事柄に移行出来る方法である【選択図】図１
2019181128.tif 000002
【特許請求の範囲】
【請求項１】
ランチョンマットに将棋盤、碁盤、チェス盤、オセロ盤、、ダーツ標的、吹屋標的、双六ゲーム、その他、任意のゲーム盤が記載され、食中、食後、或いは、食事の延長上で種々の競技を可能となす方法
【発明の詳細な説明】
【技術分野】
【０００１】ランチョンマットの多機能化の方法である
【背景技術】
【０００２】従来のランチョンマットは飲食時の食器類のベースの役目及び、食事関連の機能に始終を為している
【先行技術文献】
【特許文献】
【０００３】
【特許文献１】特開２０１３−１４７７６２
【特許文献２】特開２００８−１３２１１４
【特開文献３】
特開２００８−０９６９４１
【発明の概要】
【発明が解決しよううとする課題】
【０００４】即ち、飲食時のランチョンマットを多機能化させ、飲食後に即座に転用をなし、そのまま他の用途に利用を為す方法である
【課題を解決するための手段】
【０００５】ランチョンマットに将棋盤、碁盤、チェス盤、オセロ盤、ダーツ標的、吹矢標的、双六ゲームなど、種々任意の機能を記載、付与する方法である
【発明の効果】
【０００６】この為、飲食時のあとランチョンマットで即、種々、多様な事柄を始める効果が得られ、人々の食後の交流、親睦、団欒、会話に移行出来、簡便を得るものである
【図面の簡単な説明】
【０００７】
【図１】・・・将棋盤
【図２】・・・碁盤
【図３】・・・チェス盤
【発明を実施擦るための形態】
【０００８】図１は将棋盤を記載したものであり、図２は碁盤を記載したものであり、図３はチェス盤を記載したものであり、ランチョンマットとしての使用後、即、種々なゲーム盤、標的などとして使えるものである
【符号の説明】
【０００９】  １・・・将棋盤    ２・・・碁盤    ３・・・チェス盤
【図１】
2019181128.tif 000003
【図２】
2019181128.tif 000004
【図３】
2019181128.tif 000005
(57)【要約】【課題】    従来の串は安全性に対する方法とは、全く異なる発想に基づいた、口内を防止するための折り曲げ串を提供する。【解決手段】串折れ部１、手元に方向付け印部２、を添えた、そこを手前に向けて押す、串が折れる。食べやすくなるのを、特徴とした折り曲げ串を提供する。【選択図】図１
2019181106.tif 000002
【特許請求の範囲】
【請求項１】
食材串の先の（１）部分部に、Ｖ形の傷つけを設けた。一口食べると、とんがり串が出てくる、とても危険です、串を折りまげて捨てることも出来、なおかつ、安全性が保たれ、美味しく感じることを特徴とする折り曲げ串。
【請求項２】
食材串の手元部分にもＶの傷をつけ、（１）の方向づけをするため、印を設けたことを特徴とする折り曲げ串。
【発明の詳細な説明】
【技術分野】
【０００１】  本発明は、この串に焼き鳥を繋ぎ止めたり。団子を串にさしたり、その他の食材を繋ぎ止めるための、器具に関する。
【背景技術】
【０００２】  上記に、ある串は食材をつなぎ、止めた先が、とんがっている状態で、あるから非常に危険である。【０００３】  そこで、ケガを防止するため、一口食べたら串を折ると言う、技術が開発されている。串にＶの字の傷を両肩につけ、なおかつ肉をさし時には折れにくい、と言う串が開発されました。【０００４】  串の手元に、先の傷と同じ面に記し傷を、付けて置くと、串折る時に楽に折る事が出来る、折れ串が開発されました。
【発明の概要】
【発明が解決しようとする課題】
【０００５】  本発明は、従来の串は一口食べる時は食べられるが、二口目に食べる時に危険が生ずる、口の中に串を入れると刺さる危険があります、その危険を防止するには、一口食べたら串を折る、必要が有ります、刺さる串を防止するための折れ串を、提供することを目的とする。
【課題を解決するための手段】
【０００６】  本発明の（１）は折る、ための気痔、その気痔を前後に振ると、串が折れます。（２）は前後振るときの方向づけするための、傷が設けられていることを特徴とする
【図面の簡単な説明】
【０００７】
【図１】本発明の折れ串の平面図である。
【図２】本発明の折れ串の使用状態を示す図ある
【発明を実施するための形態】
【０００８】  以下、図面を参照しながら本発明を実施するための形態について説明する。
【０００９】    本発明は食材を串にさしケガをしない用をに、一口食べたら、とんがっている串を折って、安全性を考えた折れ串である。
【００１０】    本発明の好ましい対応において、串は口の中に入るから、弾性素材の危険度が考えられる弾性素材とは、例えば、ビニール、プラスチック、ゴム等であるが、これらは危険性が考えられるのである、竹材は、安全性があることを特徴とする折り曲げ串を開発しました。
【符号の説明】
【００１１】  １  折るための傷口部
２  折るための傷口の方向づけする傷口部
３  折り曲げ口の断面部
４  串の先端部
５  串の本体部
【図１】
2019181106.tif 000003
【図２】
2019181106.tif 000004
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
傷口部を有する食材串であって、該傷口部は少なくとも食材串の先端部付近（１）部分にあり、かつ、該傷口部は該食材串の対向する両方向から刻まれていることを特徴とする食材串。
【請求項２】
食材串の手元部分（２）に第２の傷口部を有し、該傷口部は該食材串の対向する両方向から刻まれており、先端部付近（１）部分の傷口部と同じ方向から刻まれていることを特徴とする請求項１記載の食材串。
(57)【要約】【課題】▲１▼１２個の玉に、十二支の各干支の文字（絵）を彫ったもの、▲２▼１個の玉に仏の文字（絵）を彫ったもの、▲３▼普通の数個の玉を組み合わせた縁起物・守護物としての十二支の腕輪を提供する。【解決手段】▲１▼１２個の玉（白檀等）に、十二支の各干支の文字（絵）を彫ったもの、▲２▼１個の玉（白檀等）に、仏の文字（絵）を彫ったもの、▲３▼普通の数個の玉（虎目石等）をそれぞれ用意する。不足分として、数個のカット水晶等を用意する。上記の▲１▼▲２▼▲３▼の玉を組み合わせ、不足分として、数個のカット水晶等を用いたことを特徴とする縁起物・守護物としての十二支の腕輪。【選択図】図１
2019181107.tif 000002
【特許請求の範囲】
【請求項１】
１２個の玉に、十二支の各干支の文字（絵）を彫ったもの、１個の玉に仏の文字（絵）を彫ったもの、普通の数個の玉、数個のカット水晶等を中糸で通して組み合わせたことを特徴とする縁起物・守護物としての十二支の腕輪。
【発明の詳細な説明】
【技術分野】
【０００１】  本発明は、▲１▼１２個の玉に、十二支の各干支の文字（絵）を彫ったもの、▲２▼１個の玉に仏の文字（絵）を彫ったもの、▲３▼普通の数個の玉、▲４▼数個のカット水晶等（調整用）を組み合わせた縁起物・守護物としての十二支の腕輪に関するものである。
【背景技術】
【０００２】  従来、腕輪念珠に、生まれ年の干支と守護本尊の絵が描かれているものはあった。しかし、十二支の全ての文字（絵）と仏の文字（絵）を組み合わせたものはなかった。
【発明の概要】
【発明が解決しようとする課題】
【０００３】  そのために、次のような問題点があった。
（イ）腕輪念珠に、生まれ年の干支と守護本尊の絵を描いたものしかなかった。
（ロ）玉に、一つの干支の文字を彫った腕輪しかなかった。
そのため、一つの干支では、誕生日年の者に限定された。
本発明は、これらの問題点を解決するためのものである。
【課題を解決するための手段】
【０００４】  １２個の玉に十二支の各干支の文字（絵）を彫る。１個の玉に仏の文字（絵）を彫る。普通の数個の玉を用意する。調整用として、数個のカット水晶等を用意する。
▲１▼十二支の各干支（絵）を彫った１２個の玉、▲２▼仏の文字を彫った１個の玉、▲３▼普通の数個の玉、▲４▼カット水晶等の中心に挿通孔を作り、それらを中糸でつなぎ、腕輪を作る。
以上を特徴とする縁起物・守護物としての十二支の腕輪である。
【発明の効果】
【０００５】  玉に、十二支の各干支の文字（絵）と仏の文字（絵）を彫った腕輪である。人は、生まれた年の干支によって、守護本尊（守り本尊）があり、それに守られているとされている。
１個の干支では、誕生日年の者に限られるが、本考案のモノは、１本の腕輪に十二支の全ての干支があるので、共用できる。また、干支ごとに製作する必要がないので、費用を節約でき、在庫管理も少なくて済む。
本腕輪は、厄除け・開運・幸運の縁起物・守護物である。
【図面の簡単な説明】
【０００６】
【図１】  本発明の正面図である。
【発明を実施するための形態】
【０００７】  以下、本発明の実施の形態について説明する。
（イ）一実施例として、１２個の玉（１）に、レーザー加工で十二支の各干支の文字を彫    る。１個の玉（２）に仏の文字を彫る。数個の玉（３）を用意する。不足分として、    数個のカット水晶等（４）を用意する。
（ロ）各干支を彫った１２個の玉（１）、仏の文字を彫った１個の玉（２）、普通の数個    の玉（３）、を組み合わせる。不足分は数個のカット水晶等（４）を用いる。
（ハ）全ての玉と数個のカット水晶等の中心に挿通孔を作り、中糸（オペロンゴム等）（    ５）で通す。
本発明は以上のような構成である。
本発明は、十二支の各干支の文字（絵）と仏の文字（絵）を彫った厄除け・開運・幸運の縁起物・守護物としての腕輪である。十二支の各干支は１２年ごとにめぐってくるため、「輪」のようであり、「和」にも通じる。具体的には、「家庭平穏」「夫婦円満」「恋愛成就」「願い事成就」である。おしゃれ感覚で身につけることもできる。
【符号の説明】
【０００８】１  十二支の各干支を彫った１２個の玉（球体）
２  仏の文字を彫った１個の玉（球体）
３  普通の数個の玉（球体）
４  数個のカット水晶等
５  中糸（オペロンゴム等）
【図１】
2019181107.tif 000003
(57)【要約】【課題】ずり這い等の乳幼児自身の行動によって、乳幼児自身の着衣特に腹部に床等の汚れがつき、着衣が使用不可となることを防止することを目的とする。【解決手段】乳幼児用腹部着用具１００は、乳幼児自身が床面をずり這いしたときに、本体部１０が乳幼児自身の腹部と床面との間に配置され、床面の汚れが付着するように設計される。本体部１０の外周６・７に接続される紐部２・３は乳幼児の首部分に回される首紐となり、本体部１０の外周５・８に接続される紐部１・４は乳幼児の胴に回される胴紐となる。【選択図】図１
2019181105.tif 000002
【特許請求の範囲】
【請求項１】
乳幼児の腹部に配置される本体部と、本体部の外周上部に端部が接続され乳幼児の首周囲に回される首紐と、本体部の外周側部に端部が接続され乳幼児の胴部に回される胴紐とを備え、本体部は乳幼児が床面をずり這いしたときに乳幼児の腹部と床面との間に配置され、床面の汚れが付着する乳幼児用腹部着用具。
【請求項２】
本体部は乳幼児がずり這いしたときに床面に接する表面が、汚れを吸着する素材で形成されている請求項１に記載の乳幼児用腹部着用具。
【発明の詳細な説明】
【技術分野】
【０００１】乳幼児用腹部着用具に関する。
【背景技術】
【０００２】従来、特許文献１に示すような乳幼児用スタイ、または涎掛けがある。このような乳幼児用スタイを着用していても、ずり這い等の乳幼児自身の行動によって、乳幼児自身の着衣特に腹部に床等の汚れがつき、着衣が使用不可となることがあった。
【先行技術文献】
【特許文献】
【０００３】
【特許文献１】特開２０１７−２０１３７号公報
【発明の概要】
【発明が解決しようとする課題】
【０００４】ずり這い等の乳幼児自身の行動によって、乳幼児自身の着衣特に腹部に床等の汚れがつき、着衣が使用不可となることを防止することを目的とする。
【課題を解決するための手段】
【０００５】乳幼児の腹部に配置される本体部と、本体部の外周上部に端部が接続され乳幼児の首周囲に回される首紐と、本体部の外周側部に端部が接続され乳幼児の胴部に回される胴紐とを備え、本体部は乳幼児が床面をずり這いしたときに乳幼児の腹部と床面との間に配置され、床面の汚れが付着する乳幼児用腹部着用具。
【発明の効果】
【０００６】ずり這い等の乳幼児自身の行動によって、乳幼児自身の着衣特に腹部に床等の汚れがつき、着衣が使用不可となることを防止することを目的とする。
【図面の簡単な説明】
【０００７】
【図１】本発明の実施形態に係わる乳幼児用腹部着用具を説明する図である。
【発明を実施するための形態】
【０００８】乳幼児用腹部着用具１００は、乳幼児自身が床面をずり這いしたときに、本体部１０が乳幼児自身の腹部と床面との間に配置され、床面の汚れが付着するように設計される。本体部１０の外周６・７に接続される紐部２・３は乳幼児の首部分に回される首紐となり、本体部１０の外周５・８に接続される紐部１・４は乳幼児の胴に回される胴紐となる。
【０００９】本体部１０は、乳幼児自身がずり這いしたときに床面に接する表面が汚れを吸着する素材で形成される。
【００１０】従来の乳幼児の首から吊り下げるようにして着用しその本体部が乳幼児の胸元を覆える構造となる乳幼児用涎とりスタイと違い、乳幼児の首紐となる紐部２・３は乳幼児の腹部を本体部１０が覆える所定の長さを有する。
【００１１】従来の乳幼児の首から吊り下げるようにして着用する乳幼児用涎とりスタイと違い、涎ではなく床等の上で乳幼児がずり這い等の行動をすることによる乳幼児自身の衣服の腹部の汚れをとる或いは防ぐことが目的であるため、本体部１０は汚れ防止対象部分に固定されることが必須である。そのため、紐部１・４とそれに装着される長さ調整が可能である複数個のプラホックにより乳幼児自身の体幹部主に腹部から背部にかけて固定されるようになっている。
【００１２】涎をとりやすくするため可動域が広いものが多い、従来の乳幼児の首から吊り下げるようにして着用する乳幼児用涎とりスタイにおける腹部用紐と違い、乳幼児自身の体幹に密着しなければ汚れをとるまたは防ぐ効果が低くなる。そのため、紐部１〜４は本体部１０をより乳幼児の胴部に取り付けられるようにプラホックを複数個つけどのような体型の乳幼児の体幹にも密着できるようにする。
【００１３】乳幼児自身のずり這い等の行動により付着する乳幼児自身の衣服の汚れをとるまたは防ぐことを目的とするため、汚れを集める機能を担う本体部１０が乳幼児自身の口内に侵入すると衛生を欠いてしまう。それを防ぐため、胴紐となる紐部１・４は本体部１０が乳幼児自身の意思及び行動によりめくれないようになる所定の位置に設置される。
【００１４】乳幼児用腹部着用具１００は乳幼児自身のずり這い等の行動による衣服につく汚れを本体部１０に集める構造であるため、乳幼児自身の口周辺に本体部１０が存在しないことが衛生上求められる。よって、涎とりの機能は存在しえないため、従来の乳幼児が首から吊り下げるようにして着用する乳幼児用涎とりスタイは同時に装着されることが想定される。そのため、首紐となる紐部２・３はできうる限り涎とりスタイの装着を妨げない所定の長さを有し厚みが薄い素材を使用する。
【符号の説明】
【００１５】１      胴紐
２      首紐
３      首紐
４      胴紐
５      本体部外周
６      本体部外周
７      本体部外周
８      本体部外周
１０    本体部
１００  乳幼児用腹部着用具
【図１】
2019181105.tif 000003
(57)【要約】【課題】本発明は、自動車の運転時や会議中に襲ってくる眠気を覚ますためのものである。自分で自分の手や足をつねることよりも、更なる覚醒を提供する。【解決手段】指輪に画鋲などの鋭利な針をつけたものを、シリコンなどの柔らかい素材で覆いをつけて、その上方に針が飛び出るための穴をあけて、その覆いを指輪に固定するために接着剤や糸やホッチキスなどの金属を使って固定したこと。【選択図】図１
2019181104.tif 000002
【特許請求の範囲】
【請求項１】
指輪に画鋲などの鋭利な針をつけたこと
【請求項２】
指輪に画鋲などの鋭利な針をつけたものを、シリコンなどの柔らかい素材で覆いをつけたこと
【請求項３】
指輪に画鋲などの鋭利な針をつけたものを、シリコンなどの柔らかい素材で覆いをつけたものの上方に、針が飛び出るための穴をあけたこと
【請求項４】
指輪に画鋲などの鋭利な針をつけたものを、シリコンなどの柔らかい素材で覆いをつけたものを指輪に固定するために、接着剤や糸やホッチキスなどの金属を使ったこと
【発明の詳細な説明】
【技術分野】
【０００１】  本発明は、自動車の運転時や会議などでの眠気を覚ますための指輪である
【背景技術】
【０００２】  従来、自動車の運転時や会議などでの眠気を覚ます時には、自分で自分の手や足をつねったりすることは、よくあることである。
【発明の開示】
【発明が解決しようとする課題】
【０００３】  自動車の運転時に眠気に襲われた場合はすみやかに休憩を取ることが望ましいが、それが難しい場合や、会議中など自分で自分の手や足をつねっても効果があまりないことがある。本発明は、これらの問題点を解決するためになされたものである。
【課題を解決するための手段】
【０００４】  指輪に画鋲などの鋭利な針をつけたものを、シリコンなどの柔らかい素材で覆いをつけて、その上方に針が飛び出るための穴をあけて、その覆いを指輪に固定するために接着剤や糸やホッチキスなどの金属を使って固定したこと。
【発明の効果】
【０００５】この指輪を自分の手や足に使えば簡単に眠気を吹き飛ばすことができる。しかも、持ち運びに便利である。
【発明を実施するための最良の形態】
【０００６】    以下、本発明の実施の形態を説明する。
（イ）シリコンやゴムなどの素材からなる指輪（４）に画鋲などの鋭利な針（１）のつ        いたものを取りつける。
（ロ）指輪の針（１）を覆うために、シリコンやゴムなどの柔らかい素材でできた覆い        （２）を取りつける。
（ハ）覆い（２）の上方部には針が出るための穴をあけておく（３）。
（二）覆い（２）を指輪（４）に固定するために、接着剤や糸やホッチキスなどの金属        （５）を使って、覆い（２）を指輪（４）に固定する。
本発明は以上の構成よりなる。
本発明を使用するときは、任意の指先に針のついている方を内側に装着し、自分の手や足を刺激する。
【図面の簡単な説明】
【０００７】
【図１】本発明の断面図
【図２】本発明の正面図
【符号の説明】
【０００８】（１）針部  （２）覆い部  （３）針飛び出し穴  （４）指輪部
（５）覆い部固定用糸縫合部
【図１】
2019181104.tif 000003
【図２】
2019181104.tif 000004
(57)【要約】      （修正有）【課題】構造が簡単で製造し易く、強力なモータを提供する。【解決手段】永久磁石を着磁した回転体を回転させる直流モータで、２本以上の永久磁石を１組として複数の永久磁石を間隔を開けた位置に固着した回転体の磁石と磁石の中間部分と回転軸方向の両端にコイルを巻いた固定電機子で挟み、固定電機子コイル２は回転軸方向に巻いてあるので電流は回転軸と平行に流れる構造のモータ。【選択図】図１
2019022428.tif 000002
【特許請求の範囲】
【請求項１】
２本以上の永久磁石を用いたもの複数組以上を回転軸上に固着した回転体の左右方向両端の固定電機子と、回転体の永久磁石間の、それぞれの空間位置にコイルを巻いた固定電機子を配置した構造で、永久磁石回転体の側面に磁気検出器を配置して半導体等を通じて固定電機子に通電し回転力を発生させる構造のモータ。
【発明の詳細な説明】
【技術分野】
【０００１】  本発明直流モータは、永久磁石２本以上を回転軸上の中間部分で２等分して固着した回転体の空間に、鉄芯にコイルを巻いた電機子を固定配置し、その両側の前記２等分した永久磁石回転体をギャップを設けた回転軸方向の両端から固定電機子コイル等で挟んだ構造で、回転軸方向で磁束を捉え電磁誘導により回転する構造のモータである。永久磁石の本数を増やす場合は、永久磁石２本に対し中間部と両端部に電機子１組の割合で増やせばよい。
【背景技術】
【０００２】  従来の直流モータは回転体の外円周囲部に、固定電機子か固定磁石を配置して内側の回転体を回す構造の場合と、固定電機子等の外周部に回転体を配置して回転運動を発生させるのが常識となっていました。
【発明の概要】
【０００３】  永久磁石回転体の回転軸方向の両側からギャップを開け挟んだコイルを巻いた固定電機子と、永久磁石回転体の中間部分の固定電気子コイルの両方に、磁気検出器で回転体の磁極を感知し半導体を通じ電流の流れる向きを変化させながら両電機子コイルに電流を印加することにより、発生する電磁誘導は強い制動力を備えた回転力が発生する。
【発明が解決しようとする課題】
【０００４】  従来のモータと違って回転体の外円周囲部に固定電機子などを配置しなければ、モータの外周囲面積を小さく出来る等の利点があり、複数の永久磁石の間に固定電機子を配置出来ることなど、従来の構造では実現出来なかったが、回転軸上であるから可能となったが誰もが想像してなかった。
【課題を解決するための手段】
【０００５】  回転体を軸方向で誘導しても回転が可能であることを発見し、また、固定電機子と回転体固着永久磁石間のギャップを平面で設けるので従来のものより構造が単順で製造しやすいメリットがあり、その上回転軸方向両端部で電磁誘導し永久磁石を等間隔に複数以上を並べた回転体の場合、それらの開空部分に固定電機子を配置すれば強力なモータとなります。
【発明の効果】
【０００６】  基本的な働きは全て従来のモータと変わりがないが、回転体を回すための電磁誘導の方向を変えたことで従来のモータでは実現出来なかった強い制動力を発揮できるモータを提供出来ます。永久磁石回転体を等分に分け回転軸方向で複数以上を固着すれば、それらの間に固定電機子を１組ずつ増やすことで、従来のモータと比べてより大きい出力が発生します。【０００７】  棒状の２本の永久磁石をＮ・Ｓ極が逆相になるように回転軸上間隔を開けて同じくＮ・Ｓ極を逆相に並列に並べたその中央の位置に固定電機子を配置し、並列に挟んだ棒磁石２組の回転体両先端部回転軸方面にギャップを設け固定した電機子と中間部分の電機子に、磁気検出器と半導体を経て電流を印加することで回転体が回転を始める。永久磁石回転体の磁場の変化に応じて、回転軸方向と平行に流れる電機子コイルに流れる電流の向きも同時に変化し続けて、回転方向の動力源となる。
【図面の簡単な説明】
【０００８】
【図１】図１は実施例１のモータの横断面図と中間部正面から見た概略説明図および概略配線図である。
【実施例１】
【０００９】  回転軸上半月形に整形した２本の棒状の永久磁石をＮ・Ｓ極が逆相になるようにして並列に並べたものを等分して２組固着した回転体の中間部分に電機子を挟んで、等分して固着した２組の棒磁石の先端部分左右両軸受け側にも固定電機子を各１個設置した構造である。図１の状態で電流を印加したとき、磁気検出器が永久磁石回転体のＮ極を感知し、半導体Ｔ−１により、右側に固着した電機子コイル２ａと中間部電機子２ｃ−ａの方にＮ極向きに電流が流れる。コイルが繋がっている２ｂと２ｃ−ｂの方にはＳ極向きの電流が流れるので、永久磁石回転体は時計回りに回転を始め、前記永久磁石回転体が半回転した位置で磁気検出器が永久磁石回転体のＳ極を感知して半導体Ｔ−２を経て電機子２ｂのコイルと２ｃ−ｂの方にＮ極方向の電流を流すので、連続して回転を続けることになります。永久磁石回転体の左右先端部分の固定電機子コイル及び中間部のコイルには、それぞれ逆方向に同時に電流が流れる仕組で、また、永久磁石回転体の磁極面が磁気検出器（６）によりＮ・Ｓ極を感知し半導体を通して電流の流れる向きを変えることにより、永久磁石の反発力と誘引力を利用して連続してスムーズに回転を続ける。図面では分かりやすいように固定電機子の数を少なくしましたが永久磁石の本数を増やしても固定電機子を各位置に追加することで大型のモータになり、インバータや位置センサを利用することも従来のモータと基本的には特に変わらず利用出来る部分が多くあります。
【産業上の利用可能性】
【００１０】  構造的に比較的磁力の弱い磁性体の永久磁石の利用でも効果を得ることが可能である。永久磁石回転体は回転体の平面部分と固定電機子等の回転軸側の平面でギャップを設けるので従来の円形周囲でギャップを設ける構造のものと比べるとギャップを均一にするのが容易である。永久磁石回転体を回転軸上に複数以上並べることも可能であり、永久磁石間の空間に設置する固定電機子の数に比例して制動力を増すので、あらゆる動力源として利用が見込まれる。
【符号の説明】
【００１１】    １          モータハウジング
２ａ、２ｂ    両端部電機子コイル
２ｃ−ａ、２ｃ−ｂ    中間部電機子コイル
３          永久磁石回転子
４          回転軸
５          軸受とボール
６          磁気検出器
７−１、７−２    電源部端子
【図１】
2019022428.tif 000003
(57)【要約】      （修正有）【課題】室内で植物を育成、観賞する為、照明器具の発熱を利用し植物が生育するために必要な気流を供給する装置を提供する。【解決手段】植物６の観賞、育成用の照明器具４の上部にスターリングエンジン３を設け照明器具４で発生した熱をスターリングエンジン３の作動熱源として利用しスターリングエンジン３で発生した動力でファン１を回転させて気流を発生し、植物６に光と気流を供給できる。【選択図】図１
2019022471.tif 000002
【特許請求の範囲】
【請求項１】
照明器具とスターリングエンジンとファンならびにスターリングエンジンの動力でファンを回転させる駆動部とそれらを支える架台と支柱と植物を育成あるいは観賞する為の台座からなる装置で照明器具で発生した光を植物の成長のための光合成の促進と観賞用の光源とすると同時に照明器具の発熱でスターリングエンジンを作動させ、その動力でファンを回して送風を行い室内で植物を生育するために必要な光と気流を同時に供給できる装置
【発明の詳細な説明】
【技術分野】
【０００１】本発明はスターリングエンジンを用いて照明器具の排熱を利用し植物に送風を行う装置に関するものである。
【背景技術】
【０００２】植物が生育するには水や肥料以外に光合成に必要な光と空気を供給する適度な気流が必要であり照明器具で植物に光を供給する装置が開発されている。【０００３】照明器具は光を発生する際に発熱を伴うがその熱を利用してスターリングエンジンを駆動し熱を動力に変換することが可能である。
【発明の概要】
【発明が解決しようとする課題】
【０００４】照明器具の発熱を利用し植物が生育するために必要な気流を供給する。
【課題を解決するための手段】
【０００５】照明器具の発熱と室内の温度との温度差でスターリングエンジンを駆動し発生した動力でファンを回転し植物へ送風を行い空気を供給する。
【発明の効果】
【０００６】照明器具から室内へ捨てられている排熱を利用しているため気流を発生させるための新たな動力源は不要でありスターリングエンジンは他の動力装置と比較しても低騒音である。【０００７】スターリングエンジンで照明器具の排熱を動力に変換しているため室内への放熱が低減され夏期であれば室内の冷房負荷を低減できる。【０００８】ファンで植物に向けて気流を発生させてるため冬期であれば、植物から発生する水蒸気が室内へ拡散され室内の乾燥が低減できる。【０００９】室内での植物観賞はこれまで光による演出はあったが動きによる演出はなかったがスターリングエンジンで動力を発生させることで動きを伴った演出が可能となる。
【図面の簡単な説明】
【００１０】
【図１】照明器具の排熱を利用した送風機能を有する植物観賞生育用照明装置の構成図である。
【発明を実施するための形態】
【００１１】スターリングエンジンの高温側受熱部に照明器具で発生した熱を伝達しスターリングエンジンの低温側放熱部の室内温度との温度差によりスターリングエンジンを作動させ生じた動力で駆動部を介してファンを回転させ気流を発生させる。
【実施例１】
【００１２】図１は植物観賞生育用照明装置の構成図である上部よりファン１、ファンを駆動する駆動部２、スターリングエンジン３、照明装置４、それらを保持する取付架台５、架台を支持する支柱８、植物を配置するための台座９からなる。【００１３】照明器具４を点灯すると光とともに供給される電力の一部は熱として放出される。【００１４】照明器具４から放出される熱を熱源として高温側受熱部１１で受け取り、室温側の低温側放熱部１０との温度差でスターリングエンジン３を作動させ駆動部２を介してファン１を回転させ気流を発生させる。【００１５】植物６の生育状況に合わせ鉢７あるいは支柱８の高さを変更し照明装置の光源から植物までの距離を調整する。
【産業上の利用可能性】
【００１６】高層マンションなどこれまで植物を育てるに適さなかった環境で植物の観賞、育成が可能になることで新しい植物観賞の市場ができる。【００１７】照明器具の光とファンやスターリングエンジンの動力を利用した動きによる演出で花屋、ガーデニング用品店、盆栽店、各種イベントなどでの集客に利用できる。【００１８】飲食店舗内など日光不足で植物の生育に適さない場所に設置し植物を観賞できるようにする事で店舗利用者に植物によるくつろぎや癒しを提供できる。
【符号の説明】
【００１９】  １        ファン
２        駆動部
３        スターリングエンジン
４        照明装置
５        取付架台
６        植物
７        鉢
８        支柱
９        台座
１０        スターリングエンジン低温側放熱部
１１        スターリングエンジン高温側受熱部
【図１】
2019022471.tif 000003
(57)【要約】【課題】銀杏等の硬質殻を有した実、種子等の殻を割る殻割り装置を提供すること。【解決手段】銀杏等の形状をかたどった加圧型をシリンダ等で駆動し、銀杏等のひだ部分を全周方向から加圧することで殻を割る。前記加圧型は圧力センサを有し、殻の割れを検出して加圧を停止し、加圧型を開放することを特徴とする殻割り装置である。【選択図】図１
2019022473.tif 000002
【特許請求の範囲】
【請求項１】
銀杏等の硬質殻を有した実、種子等の殻を割る殻割り装置。
【請求項２】
前記殻割り装置は、銀杏等の外形を模した加圧型を有し、この加圧型により銀杏等のひだ部分を横方向から殻が割れるまで圧縮する請求項１記載の殻割り装置。
【請求項３】
前記加圧型には、圧力センサを付加して加圧状態を監視し、圧力低下による殻の割れを検出して加圧を停止し、加圧型を解放することを特徴とする請求項２記載の殻割り装置。
【発明の詳細な説明】
【技術分野】
【０００１】  この発明は、銀杏等の硬質殻を有した実、種子等の殻を割る方法に関する。
【背景技術】
【０００２】  従来の銀杏等の殻剥きは、種々工夫されたペンチなどの手工具を用いて殻を割り、手作業で中身を取り出す方法が主である。機械式の殻割りには、２つの回転ローラ間を通すことで加圧し割るローラ式（特許文献１）、アームとカム機構により押圧して割る押圧式（特許文献２）や回転シャンクでの撹拌などの方式（特許文献３）、さらに、殻に水を注入し、冷凍した時の膨張力により割る方法（特許文献４）などがある。一方、特許文献５は本件に関係深く、銀杏等を整列させ、特定方向から殻を割り、中身を取り出す方法が述べられている。
【特許文献１】特開２０１１−１６７１２０号公報
【特許文献２】特開２００７−６８０５号公報
【特許文献３】実願平６−４３２５号公報
【特許文献４】特開２００４−１６６５７３号公報
【特許文献５】特開２０１３−２４７９５０号公報
【発明の概要】
【発明が解決しようとする課題】
【０００３】  しかしながら、以上の技術では銀杏の種類や形、大きさの違いに対応するためには、ローラの間隔調節や圧力調節などが必要であったり、あるいは、事前に大きさや形の選別を行ってから投入する方式をとっている。そこで、本発明では、加圧型による圧縮で殻を割る殻割り装置を提供することを課題とする。
【課題を解決するための手段】
【０００４】  以上の課題を解決するために、銀杏等の形状をかたどった加圧型をシリンダ等で駆動し、銀杏等のひだ部分を横方向から加圧することで殻を割る請求項１記載の殻割り装置を考案する。【０００５】  前記加圧型は、銀杏等の外形をかたどった円弧型、のこぎり刃状、あるいは、傾斜面を有するのこぎり歯状等の形状を有し、銀杏等を全方向から加圧することができ、さらに、銀杏等の形状差を吸収することも可能な請求項２記載の殻割り装置である。また、前記加圧型は圧力センサを有し、殻の割れを検出して加圧を停止し、加圧型を開放することを特徴とする請求項３記載の殻割り装置である。
【発明の効果】
【０００６】  上記のように、圧力センサを有した圧力型で加圧することにより銀杏の大きさや形状の個体差を考慮することなく、殻を割ることを可能とした。また、加圧の前に殻の底部を研磨する前工程を付加する事で、殻を二分割しやすくなる。
【発明を実施するための形態】
【０００７】  殻割り装置の概略を図１に示す。整列した銀杏等１は、一対の吸着ハンド８により保持して、一対の加圧型２の間に移動する。この吸着ハンド８は銀杏等１の保持、解放が可能であり、さらに、シリンダ等で上下に移動可能である。次に、加圧型２の間に移動した銀杏等１をシリンダ７に取り付けられた加圧型２を移動し、銀杏等１を加圧していく。前記加圧型２の片方には圧力センサ３が付加され、この圧力センサ３を駆動するために片方のシリンダ７にはプレート６と一対のガイド５、および、サポータ４が配置されている。加圧型２により銀杏等１の加圧中は、圧力センサ３の信号を常時モニタし、銀杏等１の殻が割れたことを検出する。一般に、物体を加圧し破壊せしめる時、印加圧力は破壊時に低下することが知られている。よってこのことを適応し、加圧時に印加圧力をモニタし、圧力が低下することを検出することで銀杏等の殻の割れを知ることができる。殻の割れを検出した後、加圧型２による加圧を停止し、加圧型２を開放すると、銀杏等１の殻が全周でひび割れる。その後、吸着ハンド８で殻を引くと銀杏等１の殻が割れる。銀杏等の硬質殻を有した実、種子等は、殻の中身に内膜や薄皮などの保護層を有しており、かつ、銀杏等の乾燥状態により殻の内側に中身や内膜、薄皮などが癒着しており、この癒着が中身を取り出す阻害となったり、中身に傷をつけたりする要因ともなっている。最後に、吸着ハンド８の吸着を停止する。
【０００８】  前記加圧型は、銀杏等の外形をかたどっている。その形状は、図２に示すように、円形（ａ）、のこぎり刃状（ｂ）、あるいは、傾斜面を有したのこぎり刃状（ｃ）などの変形が考えられる。のこぎり刃状では、銀杏等をしっかりと保持すると同時に形状の差を吸収できると考えられ、また、傾斜をつけることで整列や位置決めの誤差を解消するために有効と考えられる。銀杏等の殻を全周で割るためには、全方向からの加圧が最適であった。殻を割るための局所的な加圧は、加圧部のみが陥没したり、ひび、亀裂が多方向に走ったりする。一方、銀杏は殻の厚みが上部で薄く、下部で厚くと異なっており、さらに、下部は組織状態が異なり強度が高い。銀杏を腹方向から圧縮すると殻が陥没したり、つぶれたりする。また、ひだ方向から圧縮するとひだに沿って殻の割れることが判明したが、殻の下部で割れが内側に広がってしまう。そこで、殻が厚く強度の高い下部を研磨することで、ひだ方向からの圧縮で殻が全周で割れやすくなる。
【０００９】  図３は、加圧型で銀杏等を加圧した時の圧力−経過時間のグラフの一例である。加圧を始めると経過時間とともに圧力が増加し、殻の圧縮により傾斜が変化しているようであるが、殻が割れることにより圧力が急激に低下している。殻が割れた時の圧力は最大１３０Ｎ程度であった。この急激な圧力の低下をマイコンで検出し、コントローラに信号を送出することで加圧を停止し、加圧型を開放する。マイコンは、約１ｍｓ間隔で圧力センサの出力をＡＤ変換してデジタル値に変換し、圧力値が低下することを検知する。
【００１０】  本発明により、銀杏等の殻割りが可能であり、銀杏等の殻剥き作業の一部が自動化できる。
【図面の簡単な説明】
【００１１】
【図１】殻割り部の概略図である。
【図２】加圧型の一例を示す図である。
【図３】加圧特性の一例を示す図である。
【符号の説明】
【００１１】    １  銀杏等、２  加圧型、３  圧力センサ、４  サポータ、５  ガイド、６  プレート、７  シリンダ、８  吸着ハンド
【図１】
2019022473.tif 000003
【図２】
2019022473.tif 000004
【図３】
2019022473.tif 000005
(57)【要約】【課題】スケジュール管理と必要な帳票が同時に管理でき、指定された日時に必要な帳票が間違いなく持参できるスケジュール表を提供しようとするものである。【解決手段】本発明は、２枚の紙等の薄辺を重ねて構成され、下辺と一方の側辺が連結され、上辺と他方の側辺が開口部を構成するユニット本体を備え、上記ユニット本体の少なくとも一面に日付欄と予定記載欄を備えたスケジュール記載部を有し、上記ユニット本体が複数個連結され、上記開口部を構成する上辺と側辺の角部に封止部を設けた。【選択図】図４
2019022970.tif 000002
【特許請求の範囲】
【請求項１】
２枚の紙等の薄辺を重ねて構成され、下辺と一方の側辺が連結され、上辺と他方の側辺が開口部を構成するユニット本体を備え、上記ユニット本体の少なくとも一面に日付欄と予定記載欄を備えたスケジュール記載部を有し、上記ユニット本体が複数個連結され、上記開口部を構成する上辺と側辺の角部に封止部を備えたスケジュール表。
【発明の詳細な説明】
【技術分野】
【０００１】  本発明はスケジュール表に関するものである。
【背景技術】
【０００２】  定期的に通院が必要となる人は少なくないが、通院の日，時間，病院名はスケジュール表で管理すれば間違いなく指定された日時に通院は可能である。しかしながら、通院に際し、予約票や紹介状など通院の際必要とする紙片類は別の場所に保管されているため、指定された日時に病院に行くことはできても病院によっては厳しく提出が要求される予約票を持参するのを忘れたため不都合を生じる場合があり、紹介状に至っては、これがないため受診ができない場合も生じる。
【発明の概要】
【発明が解決しようとする課題】
【０００３】  本発明は、このような課題を解決し、スケジュール管理と必要な帳票が同時に管理でき、指定された日時に必要な帳票が間違いなく持参できるスケジュール表を提供しようとするものである。
【課題を解決するための手段】
【０００４】  本発明は、２枚の紙等の薄辺を重ねて構成され、下辺と一方の側辺が連結され、上辺と他方の側辺が開口部を構成するユニット本体を備え、上記ユニット本体の少なくとも一面に日付欄と予定記載欄を備えたスケジュール記載部を有し、上記ユニット本体が複数個連結され、上記開口部を構成する上辺と側辺の角部に封止部を設けた。
【発明の効果】
【０００５】  受診予約票等がスケジュール表に収納されているので、予約票等が必要になった時には探す手間が省ける。又、診察中に次回の予約日を決める際は、スケジュール表をくって調べ出せるので、受診の予約日を引きだすのに苦労しないですむ。さらに、予約日を受診中にすばやく決めれることは当人（診察中）の診療時間が短くできる。すなわち、後方で受診待ちの人々の待ち時間を短縮できる効果に繋がる。
【図面の簡単な説明】
【０００６】
【図１】本発明の一実施例におけるスケジュール表の表面側の斜視図。
【図２】同スケジュール表の裏面側の斜視図
【図３】同スケジュール表の作り方を示す展開図
【図４】同スケジュール表の一年分の構成を示す斜視図
【図５】同スケジュール表に紙片を収納した状態を示す斜視図
【発明を実施するための形態】
【０００７】  以下、本発明を実施するための形態について説明する。
図１および図２は本発明のスケジュール表の１ヶ月分の構成を示す斜視図である。
【０００８】  図１において、１はスケジュール表のユニット本体で、本体１の表面側には日付欄２、曜日欄３、スケジュール記載欄４，５が設けられている。７はスケジュール記載欄４，５を区分するための仕切線である。６は本体１の下端部に設けられた余白欄である。８は年月記載欄で、本体１の最上部に設けられている。９は年月記載欄８の左端に設けられた封止用ひも１０を通すための孔である。
図２は図１に示す月前半部の裏面側を示す図であり、図２に示す裏面側は月後半部のスケジュール表を構成するもので、図１に示す表面側と同様に構成されている。
【０００９】  図３は、図１および図２に示すスケジュール表を作成する前の展開図であり、下端部にのり代１２が設けられており、のり代１２にのり（図示せず）をつけ、線１３に沿って折り曲げ、線１３と線１４が重なるように裏面側内面にはりつける。１５は９と同様の孔である。
図３の例では、一端部をのりづけにより接合したが、のりを使わずセロテープ等を用いて下端部を接合することもできる。
【００１０】  図４は一年分のスケジュール表を構成した状態を示すものであって、各月分のスケジュール表ユニットに設けられた孔１５に封止用のひも１０を通し一年分として一体に構成されている。１Ａは次年度用に設けられた予備用の１ヶ月分のスケジュール表ユニットを示す。
図５は該当月のスケジュール表ユニット１に病院の予約票等の紙片Ｂを収納した状態を示すものであり、本体１の間に挿入された状態で収納される。
【符号の説明】
【００１１】１  ユニット本体
２  日付欄
３  曜日欄
４、５  スケジュール記載欄
６  余白欄
７  仕切り線
８  年月記載欄
９  封止用孔
１０  封止用ひも
１１  折り線
１２  のり代
１３  折り線
１４  貼りつけ線
１５  封止用孔
１Ａ  予備用ユニット
Ｂ  紙片
【図１】
2019022970.tif 000003
【図２】
2019022970.tif 000004
【図３】
2019022970.tif 000005
【図４】
2019022970.tif 000006
【図５】
2019022970.tif 000007
【手続補正書】
【提出日】平成29年12月18日(2017.12.18)
【手続補正１】
【補正対象書類名】特許請求の範囲
【補正対象項目名】請求項１
【補正方法】変更
【補正の内容】
【請求項１】
２枚の紙等の薄片を重ねて構成され、下辺と一方の側辺が連結され、上辺と他方の側辺が開口部を構成するユニット本体を備え、上記ユニット本体の少なくとも一面に日付欄と予定記載欄を備えたスケジュール記載部を有し、上記ユニット本体に設けられた封止用孔に通す封止用ひもによって上記ユニット本体が複数個連結され、上記開口部を構成する上辺と側辺の角部に封止部を備えたスケジュール表。
【手続補正２】
【補正対象書類名】明細書
【補正対象項目名】０００４
【補正方法】変更
【補正の内容】
【０００４】  本発明は、２枚の紙等の薄片を重ねて構成され、下辺と一方の側辺が連結され、上辺と他方の側辺が開口部を構成するユニット本体を備え、上記ユニット本体の少なくとも一面に日付欄と予定記載欄を備えたスケジュール記載部を有し、上記ユニット本体に設けられた封止用孔に通す封止用ひもによって上記ユニット本体が複数個連結され、上記開口部を構成する上辺と側辺の角部に封止部を設けた。